(57)【要約】【課題】            手乾燥装置について手挿入部内での手の検知範囲を狭くすることなく誤動作を防止する。【解決手段】        正面に開放し、背面側にくぼんだ凹状空間として構成された手挿入部１を有し、この手挿入部１に挿入された手を赤外線発光素子１３と赤外線受光素子１４による手検知部により検知して高圧空気流発生装置を動作させ、高速空気流に変換して前記手挿入部１内に噴射し、手に付着した水分を吹き飛ばして手を乾燥させる手乾燥装置について、その赤外線発光素子１３を手挿入部１の上部の上顎部７から下部の下顎部６に向かって斜め前方に発光するように設けるとともに、その赤外線発光素子１３の中心出力１６を、下顎部６の左右の端から外にわずかにずらし、手検知部の検知範囲Ａを手挿入部１内にする。【選択図】          図２
2005177151.tif 000002
【特許請求の範囲】
【請求項１】
正面に開放し、背面側にくぼんだ凹状空間として構成された手挿入部を有し、この手挿入部に挿入された手を赤外線発光素子と赤外線受光素子による手検知部により検知して高圧空気流発生装置を動作させ、高速空気流に変換して前記手挿入部内に噴射し、手に付着した水分を吹き飛ばして手を乾燥させる手乾燥装置であって、前記赤外線発光素子を前記手挿入部の上部の上顎部から下部の下顎部に向かって斜め前方に発光するように設けるとともに、その赤外線発光素子の中心出力を、前記下顎部の左右の端から外にわずかにずらし、前記手検知部の検知範囲を前記手挿入部内にしたことを特徴とする手乾燥装置。
【請求項２】
請求項１に記載の手乾燥装置であって、赤外線発光素子を複数個横並びに設けた手乾燥装置。
【請求項３】
正面に開放し、背面側にくぼんだ凹状空間として構成された手挿入部を有し、この手挿入部に挿入された手を赤外線発光素子と赤外線受光素子による手検知部により検知して高圧空気流発生装置を動作させ、高速空気流に変換して前記手挿入部内に噴射し、手に付着した水分を吹き飛ばして手を乾燥させる手乾燥装置であって、前記赤外線発光素子を前記手挿入部の上部の上顎部から下部の下顎部に向かって発光させるように設けるとともに、下顎部を赤外線発光素子の中心出力が、手挿入部の左右の端から外にはずれるように反射する勾配を付け、前記手検知部の検知範囲を前記手挿入部内にしたことを特徴とする手乾燥装置。
【請求項４】
正面に開放し、背面側にくぼんだ凹状空間として構成された手挿入部を有し、この手挿入部に挿入された手を赤外線発光素子と赤外線受光素子による手検知部により検知して高圧空気流発生装置を動作させ、高速空気流に変換して前記手挿入部内に噴射し、手に付着した水分を吹き飛ばして手を乾燥させる手乾燥装置であって、前記赤外線発光素子と前記赤外線受光素子を、それらの相対位置関係を規定するホルダーに一体化して、同ホルダーごと前記手挿入部に組付けた手乾燥装置。
【請求項５】
請求項４に記載の手乾燥装置であって、手検知部が手挿入部の上部の上顎部に設けられ、赤外線発光素子のホルダーへの組込み位置が、前記手挿入部の下部の下顎部に向かって斜め前方に向かって発光させるように規定され、かつ、その中心出力が前記下顎部の左右の端から外にわずかにずれる位置に規定されている手乾燥装置。
【請求項６】
正面に開放し、背面側にくぼんだ凹状空間として構成された手挿入部を有し、この手挿入部に挿入された手を赤外線発光素子と赤外線受光素子による手検知部により検知して高圧空気流発生装置を動作させ、高速空気流に変換して前記手挿入部内に噴射し、手に付着した水分を吹き飛ばして手を乾燥させる手乾燥装置であって、前記赤外線発光素子を前記手挿入部の上部の上顎部の入口側から下部の下顎部の奥側に向かって斜め後方に発光するように設けるとともに、前記赤外線受光素子を、前記手挿入部の上部の上顎部の奥側に配置した手乾燥装置。
【請求項７】
正面に開放し、背面側にくぼんだ凹状空間として構成された手挿入部を有し、この手挿入部に挿入された手を赤外線発光素子と赤外線受光素子による手検知部により検知して高圧空気流発生装置を動作させ、高速空気流に変換して前記手挿入部内に噴射し、手に付着した水分を吹き飛ばして手を乾燥させる手乾燥装置であって、前記赤外線発光素子を前記手挿入部の上部の上顎部の奥側から下部の下顎部の入口側に向かって斜め前方に、その中心出力が前記下顎部の左右の端から外にわずかにずれるような位置で発光させ、前記赤外線受光素子を、前記手挿入部の上部の上顎部の入口側に配置した手乾燥装置。
【発明の詳細な説明】
【技術分野】
【０００１】
本発明は、赤外線発光素子と赤外線受光素子による手検知部により手を検知して、高速空気流により手に付着した水分を吹き飛ばして手を乾燥させる手乾燥装置に関するものである。
【背景技術】
【０００２】
洗浄後の濡れた手を乾燥させる装置として、高速空気流により手に付着した水分を吹き飛ばし乾燥させる手乾燥装置がある。この装置は、箱体に凹状形態に処理空間としての手挿入部が設けられ、手挿入部にはエアーノズルの他、赤外線発光素子と赤外線受光素子による手検知部が配設されている。手検知部により手を検知すると、高圧空気流発生装置が動作し、エアーノズルで高圧空気流を高速空気流に変換し、手挿入部内に噴射して手に付着した水分を吹き飛ばして手を乾燥させる。なお、この種の従来技術としては、特許文献１に開示されているものがある。
【０００３】
【特許文献１】特開平１１−３１８７６０号公報
【発明の開示】
【発明が解決しようとする課題】
【０００４】
従来の手乾燥装置には、正面にある凹状空間である手挿入部に赤外線発光素子と赤外線受光素子による手検知部が配設されている。赤外線発光素子と赤外線受光素子は、互いに角度をもって設けられ、赤外線発光素子から出る赤外線を手挿入部の下部の水受け部で反射させている。手を手挿入部の検知範囲に挿入すると、手によって赤外線の反射位置が変化し、その反射光を赤外線受光素子が検知し、運転が開始される。赤外線発光素子と赤外線受光素子は、互いに角度をもって設けられ、検知範囲が手挿入部内に制限されているが、手挿入部の下部の水受け部で反射される赤外線が強いため、手挿入部の前を人が通ったりしても乱反射による赤外線を赤外線受光素子が受光して動作を開始してしまうことがある。そのため、赤外線受光素子の受光強度の基準値を手挿入部の付近に人が近づいた場合より高く設定して誤動作を防いでいるが、基準値を高くすることによって検知範囲が狭くなってしまうといった不都合がある。
【０００５】
本発明は、上記した従来の問題点を解決するためになされたもので、その課題とするところは、手乾燥装置について手挿入部内での手の検知範囲を狭くすることなく誤動作を防止することであり、誤動作の防止を確保できる構造を備えた手乾燥装置を得ることである。
【課題を解決するための手段】
【０００６】
上記課題を解決するために本発明は、正面に開放し、背面側にくぼんだ凹状空間として構成された手挿入部を有し、手挿入部に挿入された手を赤外線発光素子と赤外線受光素子による手検知部により検知して高圧空気流発生装置を動作させ、高速空気流に変換して手挿入部内に噴射し、手に付着した水分を吹き飛ばして手を乾燥させる手乾燥装置について、その赤外線発光素子を手挿入部の上部の上顎部から下部の下顎部に向かって斜め前方に発光するように設けるとともに、赤外線発光素子の中心出力を、下顎部の左右の端から外にわずかにずらし、手検知部の検知範囲を手挿入部内にする手段を採用する。
【０００７】
また、他の発明は、正面に開放し、背面側にくぼんだ凹状空間として構成された手挿入部を有し、手挿入部に挿入された手を赤外線発光素子と赤外線受光素子による手検知部により検知して高圧空気流発生装置を動作させ、高速空気流に変換して手挿入部内に噴射し、手に付着した水分を吹き飛ばして手を乾燥させる手乾燥装置について、その赤外線発光素子を手挿入部の上部の上顎部から下部の下顎部に向かって発光させるように設けるとともに、下顎部を赤外線発光素子の中心出力が、手挿入部の左右の端から外にはずれるように反射する勾配を付け、手検知部の検知範囲を手挿入部内にする手段を採用する。
【０００８】
さらに、他の発明は、正面に開放し、背面側にくぼんだ凹状空間として構成された手挿入部を有し、手挿入部に挿入された手を赤外線発光素子と赤外線受光素子による手検知部により検知して高圧空気流発生装置を動作させ、高速空気流に変換して手挿入部内に噴射し、手に付着した水分を吹き飛ばして手を乾燥させる手乾燥装置について、その赤外線発光素子と赤外線受光素子を、それらの相対位置関係を規定するホルダーに一体化して、ホルダーごと手挿入部に組付ける手段を採用する。
【０００９】
さらに、他の発明は、正面に開放し、背面側にくぼんだ凹状空間として構成された手挿入部を有し、手挿入部に挿入された手を赤外線発光素子と赤外線受光素子による手検知部により検知して高圧空気流発生装置を動作させ、高速空気流に変換して手挿入部内に噴射し、手に付着した水分を吹き飛ばして手を乾燥させる手乾燥装置について、その赤外線発光素子を手挿入部の上部の上顎部の入口側から下部の下顎部の奥側に向かって斜め後方に発光するように設けるとともに、赤外線受光素子を、手挿入部の上部の上顎部の奥側に配置する手段を採用する。
【００１０】
さらに、他の発明は、正面に開放し、背面側にくぼんだ凹状空間として構成された手挿入部を有し、手挿入部に挿入された手を赤外線発光素子と赤外線受光素子による手検知部により検知して高圧空気流発生装置を動作させ、高速空気流に変換して手挿入部内に噴射し、手に付着した水分を吹き飛ばして手を乾燥させる手乾燥装置について、その赤外線発光素子を手挿入部の上部の上顎部の奥側から下部の下顎部の入口側に向かって斜め前方に、その中心出力が下顎部の左右の端から外にわずかにずれるような位置で発光させ、赤外線受光素子を、手挿入部の上部の上顎部の入口側に配置する手段を採用する。
【発明の効果】
【００１１】
この発明によれば、赤外線発光素子の中心出力が、手挿入部に反射せず下顎部の左右の端から外にわずかにずれるので、手挿入部近傍に人が近づいてもそれによって動作が開始されるようなことがなく、しかも手検知の基準値を高く設定しなくても済むので、手挿入部内での手の検知範囲は狭くならない。
【００１２】
また、他の発明によれば、赤外線発光素子の中心出力が、手挿入部の下顎部の反射勾配によって反射して下顎部の左右の端から外にわずかにずれるので、手挿入部近傍に人が近づいてもそれによって動作が開始されるようなことがなく、しかも手検知の基準値を高く設定しなくても済むので、手挿入部内での手の検知範囲は狭くならない。
【００１３】
さらに、他の発明によれば、赤外線発光素子と赤外線受光素子がそれらの相対位置関係を規定するホルダーに一体化され、ホルダーごと手挿入部に組付けられているので、赤外線発光素子や赤外線受光素子の取付け位置や取付け角度等のばらつきによって起きる誤動作を防ぐことができる。
【００１４】
さらに、他の発明によれば、赤外線発光素子が手挿入部の上部の上顎部の入口側から下部の下顎部の奥側に向かって斜め後方に発光するように設けられ、赤外線受光素子が手挿入部の上部の上顎部の奥側に配置されているため、手挿入部近傍に人が近づいてもそれによって動作が開始されるようなことがなく、しかも手検知の基準値を高く設定しなくても済むので、手挿入部内での手の検知範囲は狭くならない。
【００１５】
さらに、他の発明によれば、赤外線発光素子の中心出力が、手挿入部の下顎部の左右の端から外にわずかにずれるので、手挿入部近傍に人が近づいてもそれによって動作が開始されるようなことがなく、しかも手検知の基準値を高く設定しなくても済むので、手挿入部内での手の検知範囲は狭くならない。
【発明を実施するための最良の形態】
【００１６】
本発明の手乾燥装置は、前面の開放した凹状空間として構成された手挿入部を有する本体箱体に、高速空気流を生成する高圧空気流発生装置が組込まれている。高圧空気流発生装置に空気を取込む空気取入口は、本体箱体の背面に形成された通風路端として本体箱体の最下部に開口している。本体箱体の手挿入部の下部の水受け部を構成する下顎部には前後方向に抜き差しできるドレン容器が装着されている。高圧空気流発生装置で生成された高圧空気流は、手挿入部の上面に設けられたエアーノズルに導かれる。このエアーノズルから高速空気流を手挿入部内に照射して、手挿入部に入れた手に付着した水分を吹き飛ばし、手挿入部の下顎部に設けられた排水口からドレン容器に溜めるようになっている。
【００１７】
手挿入部の上部を構成する上顎部には、手挿入部に挿入された手を検知する赤外線発光素子と赤外線受光素子による手検知部が設けられている。手検知部により手を検知すると高圧空気流発生装置が動作し、高速空気流を手挿入部内に噴射し、手に付着した水分を吹き飛ばす。この赤外線発光素子は、手挿入部の上顎部の奥側から下部の下顎部に向かって斜め前方に発光するように設けられ、その赤外線発光素子の中心出力が、下顎部の左右の端から外にわずかにずれる角度に傾けて取付けられている。手検知部の検知範囲は、手挿入部内にあり、検知範囲に手が挿入されると手に反射した赤外線が赤外線受光素子に受光され、これにより制御手段は、高圧空気流発生装置を動作させる。
【００１８】
赤外線発光素子の中心出力は、手挿入部の下顎部に反射しないため、強い赤外線が乱反射によって赤外線受光部に受光されるようなことはなく、中心出力が下顎部の左右の端から外にわずかにずれているので、手挿入部近傍に人が近づいてもそれによって動作が開始されるようなことがない。従って、誤検知を防ぐために手検知の基準値を高く設定する必要もないので、手挿入部内での手の検知範囲を広く採ることができる。
【００１９】
赤外線発光素子と赤外線受光素子を、それらの角度や相対位置関係を規定するホルダーに一体化し、ホルダーごと手挿入部に組付けることによって、赤外線発光素子や赤外線受光素子の取付け位置や取付け角度等のばらつきによって起きる誤動作を確実に防ぐことができる。また、赤外線発光素子の中心出力が、手挿入部の下顎部を山形にするなどして勾配を付け、この勾配によって赤外線の中心出力を反射させて手挿入部の左右の端から外れるようにしても良い。この構成を採用すれば、赤外線発光素子を左右方向に傾ける必要はない。
【００２０】
実施の形態１．
図１は、本実施の形態の手乾燥装置の全体を示す断面図、図２は、手検知部の機能を示す手挿入部の略体正面図、図３は、手検知部の機能を示す手挿入部の略体側断面図である。本実施の形態の手乾燥装置は、手挿入部１を有する本体箱体２内に組込まれた高圧空気流発生装置３による高圧空気が手挿入口近傍に送られて、手挿入口に続く処理空間としての手挿入部１内に水分を吹き飛ばす手乾燥に関する作動気流としての高速の気流が形成されるものである。本体箱体２は、背面側外殻をなすベース４と、正面側外殻をなす樹脂製の正面パネル５とから構成されている。
【００２１】
手挿入部１は、本体箱体２の正面下部に、正面及び両側面が開放した手の挿抜可能の開放シンク状の凹状空間として形成され、下部構造の水受け部を構成する下顎部６と、上部構造の上顎部７とからなる。下顎部６は、前方に向かって下傾していて、その傾斜下端に排水口が設けられている。下顎部６の下方には排水口から滴下する水を貯溜する開放容器構造のドレン容器８が前後方向への抜き差しにより脱着可能に設けられている。ドレン容器８には取外し可能な蓋が設けられている。
【００２２】
高圧空気流発生装置３は、ＤＣブラシレスモーター（通常の整流子モーター又は誘導電動機であっても良い）と、これを駆動させる駆動回路及びＤＣブラシレスモーターによって回転するターボファンにより構成され、この実施の形態では本体箱体２の手挿入部１の直上に、吸気側をベース４側にして取付けられている。高圧空気流発生装置３の吸気側は、本体箱体２の背面側に手挿入部１の奥側背面に近接して縦方向に設けられた下端の開放した通風路９に臨んでいて、通風路９の下端の空気取入口から、前後方向の抜き差しにより脱着できるエアーフィルタを通じて空気を吸込むことができるようになっている。
【００２３】
高圧空気流発生装置３の吹出口は、円形カップ状のファンケーシングの外周に周方向に間隔を置いて複数個が半径方向に向かって開設されている。このファンケーシングの外側はターボファンの回転方向に沿う方向に誘導路を設けた円形カップ状のケーシングにより覆われ、ケーシングの誘導路の端に高圧空気流発生装置３から送られてくる高圧空気を高速の気流に変換し手挿入部１に吹き出すエアーノズル１０が接続されている。誘導路には、高圧空気流を加温する電気ヒータ１１が組込まれている。エアーノズル１０は、手挿入部１の手挿入口近傍上部に形成された開口部に噴出口を下向きにして組付けられ、手挿入部１内に入れた手に高速の気流を吹き付け、手に付いた水滴を手の表面から剥離し吹き飛ばす。エアーノズル１０より奥側の上顎部７には、透光窓部材１２の嵌められた窓があり、窓内に手を検知する手検知部が構成されている。
【００２４】
手検知部は、手挿入部１に挿入された手を検知するもので、赤外線発光素子１３と赤外線受光素子１４とからなる。手検知部により手を検知すると制御手段１５の処理で高圧空気流発生装置３が動作し、高速空気流を手挿入部１内に噴射し、手に付着した水分を吹き飛ばす。赤外線発光素子１３は、図３に示すように手挿入部１の上顎部７の奥側右端から下部の下顎部６に向かって斜め前方に発光するように設けられ、かつ赤外線の中心出力１６が、下顎部６の左端（赤外線発光素子が左端に設けられる場合は右端となる）から外にわずかにずれる角度θ１となるように傾けて取付けられている。赤外線受光素子１４は、赤外線発光素子１３の反対側に横並びに受光部を手挿入部１内に向けて設けられている。手検知部の検知範囲Ａは、手挿入部１内の中央やや左寄りにあり、検知範囲Ａに手が挿入されると手に反射した赤外線が赤外線受光素子１４に受光され、これにより制御手段１５は、高圧空気流発生装置３と電気ヒータ１１を動作させる。検知範囲Ａから手が無くなると制御手段１５は、高圧空気流発生装置３と電気ヒータ１１を停止させる。
【００２５】
赤外線発光素子１３の中心出力１６は、下顎部６に反射しないため、強い赤外線が乱反射によって赤外線受光素子１４に受光されるようなことはなく、中心出力１６が下顎部６の左端から外にわずかにずれているので、手挿入部１近傍の図２に示す範囲Ｂに人が近づき、或いは横切ってもそれによって動作が開始されるようなことがない。従って、誤検知を防ぐために手検知の基準値を高く設定する必要もないので、手挿入部１内での手の検知範囲Ａを広く採ることができる。
【００２６】
実施の形態２．
図４と図５によって示す本実施の形態の手乾燥装置は、手検知部の赤外線発光素子を複数個設けたもので、これに係る構成以外は実施の形態１のものと同じである。従って、実施の形態１のものと同じ部分については、実施の形態１のものと同じ符号を用い、それらについての説明は省略する。
【００２７】
図４は、手検知部の機能を示す手挿入部１の略体正面図、図５は、手検知部の機能を示す手挿入部１の略体側断面図である。この手乾燥装置では、赤外線発光素子１３が、図４に示すように手挿入部１の上顎部７の奥側左右端から下部の下顎部６に向かって斜め前方に発光するように設けられ、かつそれぞれの赤外線の中心出力１６が、下顎部６の右左端から外にわずかにずれる角度θ２、θ３となるように傾けて取付けられている。赤外線受光素子１４は、少なくとも一つが赤外線発光素子１３の間に横並びに受光部を手挿入部１内に向けて設けられている。手検知部の検知範囲Ｃは、手挿入部１内の中央の広い範囲にあり、検知範囲Ｃに手が挿入されると手に反射した赤外線が赤外線受光素子１４に受光され、これにより制御手段１５は、高圧空気流発生装置３と電気ヒータ１１を動作させる。検知範囲Ｃから手が無くなると制御手段１５は、高圧空気流発生装置３と電気ヒータ１１を停止させる。
【００２８】
各赤外線発光素子１３の中心出力１６は、いずれも下顎部６に反射しないため、強い赤外線が乱反射によって赤外線受光素子１４に受光されるようなことはなく、中心出力１６が下顎部６の左右端から外にわずかにずれているので、手挿入部１近傍の図４に示す範囲Ｄに人が近づき、或いは横切ってもそれによって動作が開始されるようなことがない。各赤外線発光素子１３の下顎部６寄りの赤外線Ｅ１、Ｅ２は、下顎部６にそれぞれθ４、θ５の角度で反射し、赤外線受光素子１４には受光されない。従って、誤検知を防ぐために手検知の基準値を高く設定する必要もなく、複数の赤外線発光素子１３により、手挿入部１内での手の検知範囲Ｃを一層広く採ることができる。
【００２９】
実施の形態３．
図６と図７によって示す本実施の形態の手乾燥装置は、赤外線発光素子の赤外線に関与する手挿入部の下顎部の構成に工夫を講じたもので、これに係る構成以外は実施の形態１のものと同じである。従って、実施の形態１のものと同じ部分については、実施の形態１のものと同じ符号を用い、それらについての説明は省略する。
【００３０】
図６は、手検知部の機能を示す手挿入部１の略体正面図、図７は、手検知部の機能を示す手挿入部１の略体側断面図である。この手乾燥装置では、赤外線発光素子１３が、図６に示すように手挿入部１の上顎部７の奥側左右から下部の下顎部６に向かって斜め前方に発光するように設けられている。赤外線受光素子１４は、少なくとも一つが赤外線発光素子１３の間に横並びに受光部を手挿入部１内に向けて設けられている。手挿入部１の下顎部６には、赤外線発光素子１３の中心出力１６が手挿入部１の左右から外にはずれるように反射する角度θ６、θ７の勾配１７が付けられている。手検知部の検知範囲Ｆは、手挿入部１内の中央の広い範囲にあり、検知範囲Ｆに手が挿入されると手に反射した赤外線がθ１０の角度で手から反射して赤外線受光素子１４に受光され、これにより制御手段１５は、高圧空気流発生装置３と電気ヒータ１１を動作させる。検知範囲Ｆから手が無くなると制御手段１５は、高圧空気流発生装置３と電気ヒータ１１を停止させる。各赤外線発光素子１３の中心出力１６は、角度θ６、θ７の勾配１７によってθ８、θ９の角度で手挿入部１の左右方向の外に反射され、範囲Ｇを人が横切っても赤外線受光素子１４に受光されることはない。
【００３１】
実施の形態４．
図８と図９によって示す本実施の形態の手乾燥装置は、手検知部をホルダーに一体に構成したものであり、ホルダーに係る構成以外は上述した各実施の形態のものと同じである。従って、各実施の形態のものと同じ部分については、各実施の形態のものと同じ符号を用い、それらについての説明は省略する。
【００３２】
図８は、ホルダー１８の断面図、図９は同じくホルダー１８の正面図である。この手乾燥装置は、赤外線発光素子１３と赤外線受光素子１４が、それらの相対位置関係や角度を規定したホルダー１８に一体化されていて、ホルダー１８ごと手挿入部１に組付けられている。ホルダー１８には所定の位置に取付け凹部１９が形成され、赤外線発光素子１３と赤外線受光素子１４がこの取付け凹部１９に取付けられている。取付け凹部１９には赤外線発光素子１３と赤外線受光素子１４の取付け角度を規定する取付面２０と、取付面２０に位置決めする位置決め面２１とがある。この位置決め面２１と取付面２０に合せて取付け凹部１９に赤外線発光素子１３と赤外線受光素子１４が取付けられている。そして、ホルダー１８ごと手挿入部１に取付けられている。これにより、赤外線発光素子１３や赤外線受光素子１４は適正な取付位置や取付角度が確保され、組立てのばらつきがなくなり、当初の適正な検知範囲Ａ，Ｃ，Ｆが保証される。これ以外の機能は各実施の形態のものと同じである。
【００３３】
実施の形態５．
図１０と図１１によって示す本実施の形態の手乾燥装置は、赤外線発光素子や赤外線受光素子の配置を前後方向に振り分けて構成したものであり、これに係る構成以外は上述した実施の形態１〜３のものと同じである。従って、実施の形態１〜３のものと同じ部分については、それらのものと同じ符号を用い、その説明は省略する。
【００３４】
図１０は、手挿入部１の略体側断面図である。この手乾燥装置では赤外線発光素子１３が手挿入部１の上顎部７の奥側に設けられ、赤外線受光素子１４が手挿入部の上顎部７の入口側に設けられている。赤外線発光素子１３は、手挿入部１の上顎部７の奥側から下顎部６の入口側に向かって斜め前方に、その中心出力１６が下顎部６の左右の端から外にわずかにずれるような位置になるように取付けられている。これにより、赤外線発光素子１３の中心出力１６は、下顎部６に反射しないため、強い赤外線が乱反射によって赤外線受光素子１４に受光されるようなことはなく、中心出力１６が下顎部６の左端や右端から外にわずかにずれているので、手挿入部１近傍に人が近づき、或いは横切ってもそれによって動作が開始されるようなことがない。従って、誤検知を防ぐために手検知の基準値を高く設定する必要もないので、手挿入部１内での手の検知範囲を広く採ることができる。
【００３５】
図１１は、これとは赤外線発光素子１３と赤外線受光素子１４の配置を逆にした手乾燥装置の手挿入部１の略体側断面図である。即ち、赤外線発光素子１３は、手挿入部１の上顎部７の入口側から下顎部６の奥側に向かって斜め後方に発光するように設けられ、赤外線受光素子１４は、手挿入部１の上顎部７の奥側に設けられている。
【００３６】
この構成により、赤外線発光素子１３の出力は、手挿入部１の奥側に向けられることになり、手挿入部１近傍に人が近づき、或いは横切ってもそれによって動作が開始されるようなことがない。従って、誤検知を防ぐために手検知の基準値を高く設定する必要もないので、手挿入部１内での手の検知範囲を広く採ることができる。
【図面の簡単な説明】
【００３７】
【図１】手乾燥装置の断面図である。（実施の形態１）
【図２】手検知部の機能を示す手挿入部の略体正面図である。（実施の形態１）
【図３】手検知部の機能を示す手挿入部の略体側断面図である。（実施の形態１）
【図４】手検知部の機能を示す手挿入部の略体正面図である。（実施の形態２）
【図５】手検知部の機能を示す手挿入部の略体側断面図である。（実施の形態２）
【図６】手検知部の機能を示す手挿入部の略体正面図である。（実施の形態３）
【図７】手検知部の機能を示す手挿入部の略体側断面図である。（実施の形態３）
【図８】ホルダーを示す断面図である。（実施の形態４）
【図９】ホルダーを示す正面図である。（実施の形態４）
【図１０】手検知部の機能を示す手挿入部の略体側断面図である。（実施の形態５）
【図１１】手検知部の機能を示す手挿入部の略体側断面図である。（実施の形態５）
【符号の説明】
【００３８】
１  手挿入部、  ３  高圧空気流発生装置、  ６  下顎部、  ７  上顎部、  １０  エアーノズル、  １３  赤外線発光素子、  １４  赤外線受光素子、  １６  中心出力、  １７  勾配、  １８  ホルダー、  ２０  取付面。
【図１】
2005177151.tif 000003
【図２】
2005177151.tif 000004
【図３】
2005177151.tif 000005
【図４】
2005177151.tif 000006
【図５】
2005177151.tif 000007
【図６】
2005177151.tif 000008
【図７】
2005177151.tif 000009
【図８】
2005177151.tif 000010
【図９】
2005177151.tif 000011
【図１０】
2005177151.tif 000012
【図１１】
2005177151.tif 000013